(57)【要約】【課題】床下空間の空気を利用して、居室空間の温度を効果的に低下させる。【解決手段】断熱された基礎５と、基礎に支持された１階の床６と、床６の下方に配置された土間７とで囲まれた床下空間２、及び、床下空間２の上の居室空間３を具えた住宅１の構造である。住宅１は、床下空間２に外気Ａｏを導入するための基礎換気口２１と、床下空間２の土間７側に配され、かつ、土間７との間に空気が通過可能な土間側空間２６を形成するための仕切部２２と、土間側空間２６を通過することにより土間７の表面７ｓと熱交換した空気Ａｃを居室空間３に供給するための供給手段２３とを含む。【選択図】図１
2015224485.tif 000002
【特許請求の範囲】
【請求項１】
断熱された基礎と、前記基礎に支持された１階の床と、前記床の下方に配置された土間とで囲まれた床下空間、及び、前記床下空間の上の居室空間を具えた住宅の構造であって、
前記床下空間に外気を導入するための基礎換気口と、
前記床下空間の前記土間側に配され、かつ、前記土間との間に空気が通過可能な土間側空間を形成するための仕切部と、
前記土間側空間を通過することにより前記土間の表面と熱交換した空気を前記居室空間に供給するための供給手段とを含むことを特徴とする住宅の構造。
【請求項２】
前記仕切部は、前記土間の表面に沿ってのびる板状体を含む請求項１記載の住宅の構造。
【請求項３】
前記仕切部の少なくとも一部は、断熱材からなる請求項１又は２記載の住宅の構造。
【請求項４】
前記土間は、第１部分と、前記第１部分よりも低い位置にある第２部分とを含み、
前記土間側空間は、前記第２部分を含んで形成されている請求項１乃至３のいずれかに記載の住宅の構造。
【請求項５】
前記土間側空間は、前記第２部分のみに形成されている請求項４記載の住宅の構造。
【請求項６】
前記仕切部の上面は、前記第１部分の表面よりも下方に位置している請求項４又は５に記載の住宅の構造。
【請求項７】
前記土間側空間の前記土間の上には、前記土間の熱を蓄え可能であり、かつ、前記空気と熱交換可能な蓄熱体が置かれる請求項１乃至６のいずれかに記載の住宅の構造。
【請求項８】
前記蓄熱体は、前記仕切部を支持する支持材である請求項７記載の住宅の構造。
【発明の詳細な説明】
【技術分野】
【０００１】
本発明は、床下空間の空気を利用して、居室空間の温度を効果的に低下させる住宅の構造に関する。
【背景技術】
【０００２】
従来、基礎と１階の床とで囲まれた床下空間の空気（以下、単に「床下空気」ということがある。）を、居室空間に供給する供給手段を具えた住宅が提案されている。床下空間では、床の下方に配置された土間の表面を介して、一年を通して温度変化が小さい地中熱と、床下空気とを熱交換させることができる。従って、夏季において、床下空気は、外気よりも冷たくなる。このような床下空気が、居室空間に供給されることにより、居室空間の温度を低下させることができる。
【先行技術文献】
【特許文献】
【０００３】
【特許文献１】特開２０１０−１９０４９３号公報
【発明の概要】
【発明が解決しようとする課題】
【０００４】
床下空間は、そのメンテナンス性を高めるために、土間と床との間の高さが一定範囲に設定されている。このため、床下空気が接触する土間の表面の面積は、床下空間の容積に対して小さい。従って、床下空気は、土間の表面と十分に熱交換することができず、夏季において、床下空間の上部側に滞留した暖かい床下空気が、居室空間に供給されるという問題があった。
【０００５】
本発明は、以上のような実状に鑑み案出されたもので、土間側に配された土間側空間に床下空間の空気を通過させて、土間の表面と熱交換させることを基本として、居室空間の温度を効果的に低下させる住宅の構造を提供することを主たる目的としている。
【課題を解決するための手段】
【０００６】
本発明は、断熱された基礎と、前記基礎に支持された１階の床と、前記床の下方に配置された土間とで囲まれた床下空間、及び、前記床下空間の上の居室空間を具えた住宅の構造であって、前記床下空間に外気を導入するための基礎換気口と、前記床下空間の前記土間側に配され、かつ、前記土間との間に空気が通過可能な土間側空間を形成するための仕切部と、前記土間側空間を通過することにより前記土間の表面と熱交換した空気を前記居室空間に供給するための供給手段とを含むことを特徴とする。
【０００７】
本発明に係る前記住宅の構造において、前記仕切部は、前記土間の表面に沿ってのびる板状体を含むのが望ましい。
【０００８】
本発明に係る前記住宅の構造において、前記仕切部の少なくとも一部は、断熱材からなるのが望ましい。
【０００９】
本発明に係る前記住宅の構造において、前記土間は、第１部分と、前記第１部分よりも低い位置にある第２部分とを含み、前記土間側空間は、前記第２部分を含んで形成されているのが望ましい。
【００１０】
本発明に係る前記住宅の構造において、前記土間側空間は、前記第２部分のみに形成されているのが望ましい。
【００１１】
本発明に係る前記住宅の構造において、前記仕切部の上面は、前記第１部分の表面よりも下方に位置しているのが望ましい。
【００１２】
本発明に係る前記住宅の構造において、前記土間側空間の前記土間の上には、前記土間の熱を蓄え可能であり、かつ、前記空気と熱交換可能な蓄熱体が置かれるのが望ましい。
【００１３】
本発明に係る前記住宅の構造において、前記蓄熱体は、前記仕切部を支持する支持材であるのが望ましい。
【発明の効果】
【００１４】
本発明の住宅の構造は、床下空間に外気を導入するための基礎換気口と、床下空間の土間側に配され、かつ、土間との間に空気が通過可能な土間側空間を形成するための仕切部と、土間側空間を通過することにより土間の表面と熱交換した空気を居室空間に供給するための供給手段とを含んでいる。
【００１５】
土間側空間では、夏季において、床下空間の空気を土間の表面の近くで熱交換して、効果的に冷却することができる。熱交換された空気は、居室空間に供給されるため、居室空間の温度を効果的に低下させることができる。
【図面の簡単な説明】
【００１６】
【図１】本実施形態の住宅を示す断面図である。
【図２】図１の床下空間の部分斜視図である。
【図３】他の実施形態の床下空間を示す断面図である。
【図４】実施例Ａの温度と時刻との関係を示すグラフである。
【図５】（ａ）は、実施例１の床下空間の温度を示すコンター図、（ｂ）は、実施例２の床下空間の温度を示すコンター図、（ｃ）は、比較例の床下空間の温度を示すコンター図である。
【発明を実施するための形態】
【００１７】
以下、本発明の実施の一形態が図面に基づき説明される。
本実施形態の住宅の構造は、床下空気を利用して、居室空間の温度を低下させるためのものである。図１は、本実施形態の住宅を示す断面図である。
【００１８】
住宅１は、床下空間２、及び、床下空間２の上に配置された居室空間３を含んで構成されている。なお、本実施形態の住宅１は、平屋である場合が例示されているが、２階建て以上であっても良い。
【００１９】
床下空間２は、基礎５と、基礎５に支持された１階の床６と、床６の下方に配置された土間７とで囲まれて構成されている。床６と土間７との間の最大高さＨ１は、適宜設定することができる。本実施形態の最大高さＨ１は、床下空間２のメンテナンス性を高めるために、例えば、３５０mm〜５５０mm程度に設定されている。
【００２０】
基礎５は、例えば、鉄筋コンクリート製の布基礎として構成されている。基礎５は、地中Ｇ内で水平にのびるベース部５ａと、該ベース部５ａの幅方向の略中央から上方へのび、かつ、地中Ｇから突出する立上がり部５ｂとを含んでいる。
【００２１】
基礎５の立上がり部５ｂには、床下空間２側の側面に、基礎断熱材８が配置されている。このような基礎断熱材８は、基礎５を介して伝えられる外気の熱を、遮断することができる。従って、基礎断熱材８は、床下空間２の温度変化を、効果的に小さくすることができる。
【００２２】
１階の床６は、基礎５の立上がり部５ｂ、５ｂ間を、水平にのびている。また、１階の床６の下面には、例えば、床下断熱材（図示省略）が設けられてもよい。このような床下断熱材は、１階の床６を介して伝えられる居室空間３の熱を遮断することができるため、床下空間２の温度変化を、効果的に小さくすることができる。
【００２３】
土間７には、床下空間２の底面をなし、かつ、基礎５、５間に敷設される土間コンクリート７Ｃとして構成されている。土間７の表面７ｓは、床下空気Ａｕと、一年を通して温度変化が小さい地中熱Ｈとを熱交換することができる熱交換部１０として構成されている。なお、夏季において、床下空気Ａｕは、地中熱Ｈによって冷却される。
【００２４】
居室空間３は、床６と、床６の上方に配置される屋根１１と、土台（図示省略）を介して固定される外壁１２と、外壁１２、１２間に配置される間仕切り壁１３とで区分されている。間仕切り壁１３には、開閉可能な扉１４が設けられている。扉１４には、住宅内の空気Ａｉを出し入れ可能な通気口１５が設けられている。
【００２５】
本実施形態の住宅１には、非居室空間１７が設けられている。非居室空間１７は、例えば、床６、屋根１１、外壁１２及び間仕切り壁１３で区分されている。非居室空間１７は、例えば、トイレ、浴室又は洗面室である。非居室空間１７には、排気手段１６が設けられている。
【００２６】
本実施形態の排気手段１６は、非居室空間１７と屋外とを連通する開口部（図示省略）と、この開口部に設けられる送風手段１６ａとを含んで構成されている。
【００２７】
送風手段１６ａは、例えば、複数の羽根が回転するファンによって構成されている。本実施形態の送風手段１６ａは、非居室空間１７側から屋外に向かって、空気を送風しうる向きに設置されている。このような送風手段１６ａは、非居室空間１７内を負圧にして、非居室空間１７の空気Ａｉを、屋外に排出することができる。
【００２８】
そして、本実施形態の住宅１には、基礎換気口２１、仕切部２２及び供給手段２３が設けられている。図２は、図１の床下空間２の部分斜視図である。
【００２９】
基礎換気口２１は、基礎５に設けられ、屋外と床下空間２との間を連通している。本実施形態の基礎換気口２１は、基礎５の立上がり部５ｂと、基礎断熱材８とを貫通して形成されている。このような基礎換気口２１は、屋外の新鮮な外気Ａｏを、床下空間２に導入することができる。
【００３０】
仕切部２２は、床下空間２の土間７側に配されている。ここで、「床下空間２の土間７側に配置される」とは、床下空間２を高さ方向で２つに分割した上下の領域のうち、下の領域に配置されることを意味している。
【００３１】
本実施形態の仕切部２２は、例えば、土間７の表面７ｓに沿ってのびる板状体として形成されている。仕切部２２は、土間７の上に配置される支持材２４（図２に示す）によって支持されている。
【００３２】
図２に示されるように、本実施形態の支持材２４は、土間７の表面７ｓに沿って水平にのびる一対の基部２４ａ、２４ｂと、一対の基部２４ａ、２４ｂ間を上下にのびて連結する継ぎ部２４ｃとを含み、平面視長方形のブロック状に形成されている。上の基部２４ａの上面は、仕切部２２の下面に配置されている。また、下の基部２４ｂの下面は、土間７の表面７ｓに配置されている。このため、支持材２４は、仕切部２２を、土間７の表面７ｓから上方に離間させた位置で支持することができる。これにより、仕切部２２と土間７との間には、空気（床下空気Ａｕ）が通過可能な土間側空間２６が形成される。
【００３３】
支持材２４は、土間７の表面７ｓに沿って隔設されている。本実施形態では、平面視において、支持材２４の長手方向に沿って隔設された複数のブロック列２８が、十字に交わるように配置されている。これにより、土間側空間２６には、隣接する支持材２４、２４間に形成される隙間３２が等間隔に形成されるため、床下空気Ａｕ（図１に示す）をスムーズに通過させることができる。
【００３４】
図１に示されるように、仕切部２２の一端２２ａは、床下空間２の一方側Ｓ１に配置されている基礎断熱材８に至ることなく終端している。また、仕切部２２の他端２２ｂは、床下空間２の他方側Ｓ２に配置されている基礎断熱材８に当接している。これにより、土間側空間２６は、その一方側Ｓ１に、床下空間２と連通する開口部２７が設けられる。このような開口部２７は、床下空気Ａｕを、土間側空間２６に導入することができる。
【００３５】
本実施形態の供給手段２３は、土間側空間２６と居室空間３とを連通する空気流路２９と、土間側空間２６内の空気Ａｄを空気流路２９に案内する送風手段３０とを含んで構成されている。
【００３６】
本実施形態の空気流路２９は、例えば、住宅１の配管スペースに配置されるダクト２９ｄによって形成されている。また、ダクト２９ｄの一端は、床下空間２の他方側Ｓ２において、土間側空間２６に連通している。また、ダクト２９ｄの他端は、居室空間３に連通している。これにより、供給手段２３は、土間側空間２６内の空気Ａｄのみを、居室空間３に供給することができる。
【００３７】
送風手段３０は、複数の羽根が回転するファンによって構成されている。送風手段３０は、土間側空間２６から空気流路２９に向かって、空気を送風しうる向きに設置されている。このような送風手段３０は、土間側空間２６を負圧にして、土間側空間２６内の空気を、空気流路２９内に案内することができる。
【００３８】
このような住宅１では、先ず、送風手段３０によって、土間側空間２６内が負圧になる。負圧になった土間側空間２６には、その開口部２７から床下空気Ａｕが導入される。これにより、土間側空間２６は、開口部２７が設けられる一方側Ｓ１から、空気流路２９が設けられる他方側Ｓ２に向かって、床下空気Ａｕを通過させることができる。
【００３９】
本実施形態の仕切部２２は、床下空間２の土間７側に配されているため、土間側空間２６の仕切部２２と土間７との間の最大高さＨ２は、床下空間２の最大高さＨ１に比べて小に設定されている。このため、土間側空間２６での土間７の表面７ｓの面積Ｓａと、土間側空間２６の容積Ｖａとの比Ｓａ／Ｖａは、土間７の全ての表面７ｓの面積Ｓｂと、床下空間２の容積Ｖｂとの比Ｓｂ／Ｖｂに比べて大きい。従って、土間側空間２６内を通過する空気Ａｄ（床下空気Ａｕ）は、土間７の表面７ｓの近くで、地中熱Ｈと効果的に熱交換することができる。
【００４０】
土間側空間２６内の空気Ａｄは、夏季において、土間７の表面７ｓ（地中熱Ｈ）との熱交換によって冷却される。この冷却された空気Ａｃ（土間側空間２６内の空気Ａｄ）は、供給手段２３を介して、居室空間３に供給される。
【００４１】
居室空間３は、冷却された空気Ａｃの供給によって正圧状態となる。一方、非居室空間１７は、排気手段１６によって負圧状態となる。このため、居室空間３の空気Ａｉは、扉１４の通気口１５を介して、非居室空間１７に供給される。従って、本実施形態では、冷却された空気Ａｃを循環させることができる。
【００４２】
このように、本実施形態の住宅１の構造では、夏季において、土間側空間２６内で熱交換された（冷却された）空気Ａｃを、居室空間３に供給することができるため、居室空間３の温度を効果的に低下させることができる。
【００４３】
本実施形態では、土間側空間２６内の空気Ａｄ（冷却された空気Ａｃ）のみが居室空間３に供給されるため、床下空間２の上部側に滞留した暖かい床下空気Ａｕが、居室空間３に供給されることがない。従って、本実施形態では、夏季において、居室空間３の温度を、効果的に低下させることができる。
【００４４】
さらに、本実施形態の住宅１の構造では、上記のような仕切部２２が床下空間２に設けられるだけで、床下空気Ａｕと土間７の表面７ｓ（地中熱Ｈ）とを、効果的に熱交換させることができる。このため、例えば、床下空気を地中Ｇに案内して熱交換させる配管（図示省略）を設ける場合に比べて、施工コストを大幅に低減することができる。
【００４５】
本実施形態の床下空間２には、基礎断熱材８が設けられている。このような基礎断熱材８は、基礎５を介して、屋外の熱が土間側空間２６に伝達されるのを防ぐことができる。従って、土間側空間２６の通過する空気Ａｄと土間７の表面７ｓとの熱交換を、効果的に行うことができる。
【００４６】
さらに、上述した床下断熱材（図示省略）が設けられる場合には、床６を介して、居室空間３の熱が土間側空間２６に伝達されるのを防ぐことができる。従って、土間側空間２６の通過する空気Ａｄと、土間７の表面７ｓとの熱交換を、より効果的に行うことができる。
【００４７】
空気流路２９の外周面には、断熱材（図示省略）が設けられてもよい。これにより、空気流路２９は、土間側空間２６から居室空間３までの間に、居室空間３の熱等が、冷却された空気Ａｃに伝達されるのを防ぐことができる。冷却された空気Ａｃの温度が維持されるため、居室空間３の温度を効果的に低下させることができる。
【００４８】
仕切部２２の少なくとも一部は、断熱材３４から形成されるのが望ましい。このような仕切部２２は、床下空間２の上部側に滞留しがちな暖かい床下空気Ａｕの熱が、土間側空間２６に伝達されるのを防ぐことができる。従って、土間側空間２６の通過する空気Ａｄと、土間７の表面７ｓとの熱交換を、効果的に行うことができる。
【００４９】
なお、床下空気Ａｕの熱を効果的に遮断するために、仕切部２２の全てが、断熱材３４によって形成されてもよい。これにより、仕切部２２の全範囲に渡って、暖かい床下空気Ａｕの熱が、土間側空間２６に伝達されるのを防ぐことができる。
【００５０】
断熱材３４としては、暖かい床下空気Ａｕの熱を遮断可能なものであれば、適宜選択することができる。例えば、耐熱性及び耐衝撃性に優れるポリスチレンフォーム、ウレタンフォーム、又は、フェノールフォーム等が採用されるのが望ましい。なお、仕切部２２の断熱性及び耐久性能を維持するために、仕切部２２の厚さＷ１（図２に示す）は、例えば、２０mm〜６０mm程度に設定されるのが望ましい。
【００５１】
土間側空間２６の最大高さＨ２と、床下空間２の最大高さＨ１との比Ｈ２／Ｈ１については、適宜設定することができる。なお、Ｈ２／Ｈ１が大きいと、土間側空間２６の容積が大きくなるため、土間側空間２６を通過する空気Ａｄ（床下空気Ａｕ）を、土間７の表面７ｓの近くで、効果的に熱交換させることができないおそれがある。さらに、仕切部２２と１階の床６との間の高さＨ３が小さくなるため、床下空間２のメンテナンス性が低下するおそれもある。逆に、Ｈ２／Ｈ１が小さいと、土間側空間２６の容積が小さくなり、十分な量の冷却された空気Ａｃを、居室空間３に供給することができないおそれがある。このような観点より、Ｈ２／Ｈ１は、好ましくは０．４５以下、より好ましくは０．２０以下であり、また、好ましくは０．１０以上である。
【００５２】
図２に示されるように、支持材２４は、土間７の熱を蓄え可能である蓄熱体３６として構成されるのが望ましい。本実施形態の蓄熱体３６は、コンクリートによって形成されている。コンクリートの熱伝導率は、例えば、１．６（Ｗ／ｍ・Ｋ）〜１．８（Ｗ／ｍ・Ｋ）程度に設定されている。
【００５３】
このような蓄熱体３６は、土間７の熱（地中熱Ｈ）を蓄えつつ、土間側空間２６を通過する空気Ａｄと熱交換することができるため、空気Ａｄを効果的に冷却することができる。なお、蓄熱体３６は、本実施形態のようなコンクリートの他に、例えば、蓄熱レンガ等で形成されてもよい。
【００５４】
支持材２４には、例えば、継ぎ部２４ｃの側面を、土間７の表面７ｓに沿って貫通する孔部２４ｈが設けられてもよい。このような孔部２４ｈは、土間側空間２６内の空気Ａｄを、支持材２４の内部に通過させることができるため、蓄えた土間７の熱（地中熱Ｈ）と熱交換することができる。従って、土間側空間２６内の空気Ａｄを、効果的に冷却することができる。
【００５５】
本実施形態の蓄熱体３６は、支持材２４として形成されるものが例示されたが、これに限定されるわけではない。例えば、蓄熱体３６は、支持材２４とは別に、土間７の上に配置されるものでもよい。このような蓄熱体３６も、土間側空間２６内の空気Ａｄとの熱交換を、効果的に行うことができる。
【００５６】
図３は、本発明の他の実施形態の住宅１の床下空間２を拡大して示す断面図である。なお、この実施形態において、前実施形態と同様の構成には、同様の符号を付し、その詳細な説明を省略する。
【００５７】
この実施形態の土間７は、第１部分３７と、第１部分３７よりも低い位置にある第２部分３８とを含んで構成されている。さらに、土間７には、第１部分３７と第２部分３８とを連結する継ぎ部分３９が設けられている。これにより、土間７は、階段状に形成されている。なお、この実施形態において、第２部分３８は、前実施形態の土間７よりも低い位置に形成されている。
【００５８】
ところで、地中には、外気条件や、その上の建物の温度変化の影響を受けるものの、一年を通して温度が略一定（例えば、±０．１℃程度）となる不易層（図示省略）が存在する。第２部分３８は、第１部分３７に比べて不易層に近づくことができる。このため、第２部分３８では、地中熱Ｈと効果的に熱交換することができる。
【００５９】
この実施形態の仕切部２２は、第２部分３８にのみ配置されている。仕切部２２は、第２部分３８に配置された支持材２４（図２に示す）によって支持されている。
【００６０】
仕切部２２の一端２２ａは、土間７の継ぎ部分３９に至ることなく終端している。また、仕切部２２の他端２２ｂは、土間側空間２６の他方側Ｓ２に配置される基礎断熱材８に当接している。これにより、土間側空間２６は、第２部分３８のみに形成される。また、土間側空間２６の一方側には、床下空間２と連通する開口部２７が設けられる。
【００６１】
この実施形態の住宅１では、送風手段３０によって負圧になった土間側空間２６内に、開口部２７から床下空気Ａｕが導入される。これにより、土間側空間２６は、開口部２７が設けられる一方側Ｓ１から、空気流路２９が設けられる他方側Ｓ２に向かって、床下空気Ａｕを通過させることができる。
【００６２】
この実施形態の土間側空間２６は、土間７の第１部分３７に比べて、不易層に近い第２部分３８に形成されている。このため、土間側空間２６を通過する空気Ａｄ（床下空気Ａｕ）と地中熱Ｈとの熱交換を、効果的に行うことができる。土間側空間２６内の空気Ａｄは、夏季において、地中熱Ｈとの熱交換によって冷却される。この冷却された空気Ａｃ（土間側空間２６内の空気Ａｄ）が、居室空間３に供給されることにより、居室空間３の温度を効果的に低下させることができる。
【００６３】
土間側空間２６の最大高さＨ２と、床下空間２の最大高さＨ１との比Ｈ２／Ｈ１は、前実施形態と同一範囲に設定される。このため、土間側空間２６を通過する空気Ａｄ（床下空気Ａｕ）は、第２部分３８の表面３８ｓの近くで、地中熱Ｈと効果的に熱交換することができる。
【００６４】
なお、仕切部２２の上面２２ｕは、第１部分３７の表面３７ｓよりも下方に位置しているのが望ましい。これにより、床下空間２では、仕切部２２が、第１部分３７よりも上方に突出するのを防ぐことができるため、床下空間２のメンテナンス性を高めることができる。
【００６５】
この実施形態では、土間側空間２６が、第２部分３８のみに形成されるものが例示されたが、これに限定されるわけではない。例えば、仕切部２２の一端２２ａが、土間７の継ぎ部分３９を越えて、第１部分３７の少なくとも一部を覆うように配置されてもよい。これにより、土間側空間２６は、第２部分３８と第１部分３７とを含んで形成されるため、床下空気Ａｕを、第１部分３７から第２部分３８にかけて順次通過させることができる。このような土間側空間２６は、不易層から遠い第１部分３７から、不易層に近い第２部分３８にかけて、床下空気Ａｕを段階的に熱交換することができるため、床下空気Ａｕを効果的に冷却することができる。
【００６６】
これまでの実施形態では、夏季において、土間側空間２６内の空気Ａｄが、土間７の表面７ｓ（地中熱Ｈ）との熱交換によって冷却される態様が例示されたが、これに限定されるわけではない。例えば、冬季においては、土間側空間２６内の空気Ａｄが、土間７の表面７ｓ（地中熱Ｈ）との熱交換によって暖められる。本実施形態の住宅１の構造では、冬季において、土間側空間２６内で熱交換された（暖められた）空気Ａｃを、居室空間３に供給することができるため、居室空間３の温度を効果的に高めることができる。
【００６７】
以上、本発明の特に好ましい実施形態について詳述したが、本発明は図示の実施形態に限定されることなく、種々の態様に変形して実施しうる。
【実施例】
【００６８】
［実施例Ａ］
図１及び図２に示す基本構造を有する住宅が、滋賀県東近江市に製造された。そして、この住宅において、８月３１日〜９月２日の３日間、外気の温度、居室空間の温度、床下空間の温度、及び、土間側空間の温度（給気温度）がそれぞれ測定された。図４は、温度と時刻との関係を示すグラフである。なお、共通仕様は、次のとおりである。
建物のプラン：
居室空間の床面積：１３６．６ｍ2
床下空間の面積：６４．７１ｍ2
床下空間の最大高さＨ１：４５０mm
仕切部：
面積：２．４３ｍ2
厚さＷ１：３０mm
土間側空間の最大高さＨ２：１００mm
送風手段の供給量：１５０ｍ3／ｈ
【００６９】
テストの結果、実施例の住宅では、土間側空間の温度（給気温度）を、床下空間の温度よりも、平均として０．４℃低下させることができた。実施例では、このような冷却された空気が居室空間に供給されたため、外気の温度が高くなる９：００〜１８：００において、居室空間の温度を大幅に低下させることができた。
【００７０】
なお、仕切部及び土間側空間が設けられない場合は、土間側空間の温度よりも高い床下空間の温度と同一の空気が、居室空間に供給されることになる。この場合、居室空間の温度は、実施例の居室空間の温度に比べて、大幅に大きくなると考えられる。従って、実施例の住宅は、居室空間の温度を、効果的に低下させることができる。
【００７１】
［実施例Ｂ］
図１に示す基本構造を有し、図３に示す床下空間を有する住宅が、コンピュータにモデルとして入力された。図５（ａ）に示されるように、実施例１の住宅モデルは、仕切部をモデル化した仕切部モデル、及び、土間側空間をモデル化した土間側空間モデルが設定されているが、蓄熱手段がモデル化されていない。図５（ｂ）に示されるように、実施例２の住宅モデルは、仕切部モデル、土間側空間モデル、及び、蓄熱手段がモデル化された蓄熱モデルが設定されている。
【００７２】
また、比較のために、図１に示す基本構造を有し、仕切部及び土間側空間を有しない住宅が、コンピュータにモデルとして入力された（比較例）。比較例の住宅モデルは、図５（ｃ）に示している。
【００７３】
そして、実施例１、実施例２及び比較例の住宅モデルを用いて、床下空間の温度分布を計算するシミュレーションが行われた。図５（ａ）〜図５（ｃ）には、実施例１、実施例２及び比較例の床下空間の温度分布を示すコンター図が、それぞれ示されている。
【００７４】
実施例１、実施例２及び比較例において、土間側空間の温度（給気温度）が、図５（ａ）〜図５（ｃ）に示される測定位置４１で計算された。さらに、実施例１では、仕切部モデルを断熱材として定義した場合、及び、仕切部モデルを断熱材として定義しない場合の給気温度も計算された。なお、共通仕様は、次のとおりである。
ソフトウェア：株式会社ソフトウェアクレイドル製の構造格子系汎用三次元熱流体解析システム「ＳＴＲＥＡＭ」
建物のプラン：
居室空間の床面積：１２３．０４ｍ2
床下空間の面積：６０．３４ｍ2
気象データ（定常条件）：
外気の温度（平均）：２８．７℃
居室空間の温度（平均）：２７．０℃
仕切部：
面積：１２．９６ｍ2
厚さＷ１：６０mm
土間側空間の最大高さＨ２：１２０mm
送風手段の供給量：４５０ｍ3／ｈ
【００７５】
テストの結果、実施例１、実施例２及び比較例の給気温度は、次のとおりであった。従って、実施例１及び実施例２は、比較例に比べて、給気温度を低下させることができた。このような冷却された空気が、居室空間に導入されることにより、居室空間の温度を効果的に低下させうることが確認できた。
実施例１の給気温度：２６．５℃（仕切部モデルを断熱材として定義）
実施例１の給気温度：２６．６℃（仕切部モデルを非断熱材として定義）
実施例２の給気温度：２６．２℃
比較例の給気温度：２７．０℃
【００７６】
実施例１において、仕切部モデルを断熱材として定義した場合は、仕切部モデルが断熱材として定義されない場合に比べて、給気温度を低下させることができた。従って、仕切部が断熱材で形成されることにより、土間側空間内の空気を、効果的に低下させうることが確認できた。
【００７７】
さらに、蓄熱モデルが設定された実施例２は、蓄熱モデルが設定されていない実施例１に比べて、給気温度を大幅に低下させることができた。従って、土間側空間に蓄熱体が設けられることにより、土間側空間内の空気を、効果的に低下させうることが確認できた。
【符号の説明】
【００７８】
１      住宅
２      床下空間
３      居室空間
５      基礎
６      床
７      土間
２１      基礎換気口
２２      仕切部
２３      供給手段
【図１】
2015224485.tif 000003
【図２】
2015224485.tif 000004
【図３】
2015224485.tif 000005
【図４】
2015224485.tif 000006
【図５】
2015224485.tif 000007